(57)【特許請求の範囲】
【請求項１】
機体と、
該機体に収容され冷却水が貯留された水槽と、
該水槽に配設され、飲料水を流通させるための螺旋管と、
前記冷却水を冷却するための冷媒蒸発管と、
該冷媒蒸発管に圧縮冷媒を送るコンプレッサーと、
前記冷却水を撹拌する撹拌機と、
該撹拌機を駆動させる撹拌モーターと、
前記螺旋管に連通され前記機体の前面に取付けられた注出ノズルと、
を備えるディスペンサーの運転方法であって、
前記撹拌機の回転速度が複数段階で切替え可能となっており、
前記ディスペンサーの稼動使用開始直前に、前記コンプレッサー及び前記撹拌モーターをＯＮにし、前記撹拌機の回転速度を低速度とした状態で前記冷媒蒸発管に沿って冷却水を製氷し、
前記ディスペンサーの稼動使用終了直後に、前記撹拌機の回転速度を低速度とした状態で前記冷媒蒸発管に沿って冷却水を製氷し、その後、前記コンプレッサー及び前記撹拌モーターをＯＦＦにするディスペンサーの運転方法。
【請求項２】
前記ディスペンサーの稼動使用開始直前に、前記コンプレッサー及び前記撹拌モーターをＯＮにし、前記撹拌機の回転速度を低速度とした状態で前記冷媒蒸発管に沿って冷却水を最大氷量幅に製氷し、
前記ディスペンサーの稼動使用終了直後に、前記撹拌機の回転速度を低速度とした状態で前記冷媒蒸発管に沿って冷却水を最大氷量幅に製氷する請求項１記載のディスペンサーの運転方法。
【請求項３】
前記ディスペンサーの稼動使用時における前記飲料水の注出時には、前記撹拌機の回転速度を高速度とし、
前記ディスペンサーの稼動使用時における前記飲料水の待機時には、前記撹拌機の回転速度を低速度とする請求項１又は２に記載のディスペンサーの運転方法。
【請求項４】
前記冷媒蒸発管には製氷センサーが設けられており、
該製氷センサーにより前記ディスペンサーの稼動使用時における前記コンプレッサーのＯＮ／ＯＦＦが制御されている請求項１〜３のいずれか一項に記載のディスペンサーの運転方法。
【請求項５】
前記水槽が断熱材に覆われている請求項１〜４のいずれか一項に記載のディスペンサーの運転方法。
【請求項６】
前記水槽には蓋が取付けられており、
前記蓋が断熱材からなる請求項１〜５のいずれか一項に記載のディスペンサーの運転方法。
【請求項７】
前記コンプレッサー及び前記撹拌モーターのＯＮ／ＯＦＦがシーケンサーにより制御されている請求項１〜６のいずれか一項に記載のディスペンサーの運転方法。
【請求項８】
前記撹拌モーターが、前記スピードコントローラーを介して、前記シーケンサーにより制御されており、
前記撹拌機の回転速度の切替えが、前記スピードコントローラーによる通電量の調整により行われる請求項７記載のディスペンサーの運転方法。
【請求項９】
前記機体の前面に接近センサーを更に備え、
該接近センサーが、前記注出ノズルを操作する人を検出することで前記ディスペンサーの稼動使用時における前記飲料水の注出時と判断して前記スピードコントローラーが前記撹拌機の回転速度を高速度とし、前記注出ノズルを操作する人を検出しないことで前記ディスペンサーの稼動使用時における前記飲料水の待機時と判断して前記スピードコントローラーが前記撹拌機の回転速度を低速度とする請求項８記載のディスペンサーの運転方法。
【発明の詳細な説明】
【技術分野】
【０００１】
本発明は、ディスペンサーの運転方法に関し、更に詳しくは、消費電力を大幅に削減できると共に、飲料水を確実且つ十分に冷却できるディスペンサーの運転方法に関する。
【背景技術】
【０００２】
飲食業において、ビール、ウーロン茶等の飲料水は、ディスペンサーで十分に冷却された状態で客に提供される。
このようなディスペンサーとしては、箱状の機体内に水槽を装設し、その水槽内に、コンプレッサーを用いた冷却手段が配設され、且つ水槽内の水を撹拌する撹拌機が設けられたものが知られている（例えば、特許文献１〜６参照）。
【０００３】
ところで、これらのディスペンサーの運転方法においては、一般に撹拌機が常に運転している。このため、消費電力が大きくなる欠点がある。
【０００４】
これらの中で、清涼飲料を汲み出す場合は、撹拌機を通常の速度で回転させ、清涼飲料の汲み出しが無い場合は、撹拌機がゆっくり回転されるようにする運転方法が知られている（特許文献７参照）。
【先行技術文献】
【特許文献】
【０００５】
【特許文献１】特開２００１−１１６４１７号公報
【特許文献２】特開２００１−１２２３９８号公報
【特許文献３】特開２００３−２６２９２号公報
【特許文献４】特開２００３−９７８７５号公報
【特許文献５】特開２００３−９７８７６号公報
【特許文献６】特開２００３−９７８７７号公報
【特許文献７】特開２００３−９７８７４号公報
【発明の概要】
【発明が解決しようとする課題】
【０００６】
しかしながら、上記特許文献７記載の使用方法を含む従来のディスペンサーの運転方法においては、夜間等のディスペンサーの不稼動時であってもコンプレッサーを運転させているので、消費電力の大幅な削減とはならない。
また、かかるディスペンサーの不稼動時にコンプレッサー及び撹拌機の運転をＯＦＦすると、消費電力は大幅に削減されるが、次に稼動使用する場合の製氷時に均一な氷が得られないという欠点がある。これでは、飲料水を十分に冷却できない。
【０００７】
本発明は上記事情に鑑みてなされたものであり、消費電力を大幅に削減できると共に、飲料水を確実且つ十分に冷却できるディスペンサーの運転方法を提供することを目的とする。
【課題を解決するための手段】
【０００８】
本発明者等は、上記課題を解決するため鋭意検討したところ、ディスペンサーの稼動使用直前及び稼動使用直後に撹拌機の回転速度を低速度とした状態で一旦、製氷することにより、上記課題を解決し得ることを見出し、本発明を完成させるに至った。
【０００９】
すなわち、本発明は、（１）、機体と、該機体に収容され冷却水が貯留された水槽と、該水槽に配設され、飲料水を流通させるための螺旋管と、冷却水を冷却するための冷媒蒸発管と、該冷媒蒸発管に圧縮冷媒を送るコンプレッサーと、冷却水を撹拌する撹拌機と、該撹拌機を駆動させる撹拌モーターと、螺旋管に連通され前記機体の前面に取付けられた注出ノズルと、を備えるディスペンサーの運転方法であって、撹拌機の回転速度が複数段階で切替え可能となっており、ディスペンサーの稼動使用開始直前に、前記コンプレッサー及び前記撹拌モーターをＯＮにし、撹拌機の回転速度を低速度とした状態で前記冷媒蒸発管に沿って冷却水を製氷し、ディスペンサーの稼動使用終了直後に、前記撹拌機の回転速度を低速度とした状態で前記冷媒蒸発管に沿って冷却水を製氷し、その後、コンプレッサー及び前記撹拌モーターをＯＦＦにするディスペンサーの運転方法に存する。
【００１０】
本発明は、（２）、ディスペンサーの稼動使用開始直前に、コンプレッサー及び撹拌モーターをＯＮにし、撹拌機の回転速度を低速度とした状態で前記冷媒蒸発管に沿って冷却水を最大氷量幅に製氷し、ディスペンサーの稼動使用終了直後に、撹拌機の回転速度を低速度とした状態で冷媒蒸発管に沿って冷却水を最大氷量幅に製氷する上記（１）記載のディスペンサーの運転方法に存する。
【００１１】
本発明は、（３）ディスペンサーの稼動使用時における飲料水の注出時には、撹拌機の回転速度を高速度とし、ディスペンサーの稼動使用時における飲料水の待機時には、撹拌機の回転速度を低速度とする上記（１）又は（２）に記載のディスペンサーの運転方法に存する。
【００１２】
本発明は、（４）冷媒蒸発管に製氷センサーが設けられており、該製氷センサーによりディスペンサーの稼動使用時におけるコンプレッサーのＯＮ／ＯＦＦが制御されている上記（１）〜（３）のいずれか一つに記載のディスペンサーの運転方法に存する。
【００１３】
本発明は、（５）水槽が断熱材に覆われている上記（１）〜（４）のいずれか一つに記載のディスペンサーの運転方法に存する。
【００１４】
本発明は、（６）水槽には蓋が取付けられており、蓋が断熱材からなる上記（１）〜（５）のいずれか一つに記載のディスペンサーの運転方法に存する。
【００１５】
本発明は、（７）コンプレッサー及び撹拌モーターのＯＮ／ＯＦＦがシーケンサーにより制御されている上記（１）〜（６）のいずれか一つに記載のディスペンサーの運転方法に存する。
【００１６】
本発明は、（８）撹拌モーターが、スピードコントローラーを介して、シーケンサーにより制御されており、撹拌機の回転速度の切替えが、スピードコントローラーによる通電量の調整により行われる上記（７）記載のディスペンサーの運転方法に存する。
【００１７】
本発明は、（９）機体の前面に接近センサーを更に備え、該接近センサーが、注出ノズルを操作する人を検出することでディスペンサーの稼動使用時における飲料水の注出時と判断してスピードコントローラーが撹拌機の回転速度を高速度とし、注出ノズルを操作する人を検出しないことでディスペンサーの稼動使用時における飲料水の待機時と判断してスピードコントローラーが撹拌機の回転速度を低速度とする上記（８）記載のディスペンサーの運転方法に存する。
【発明の効果】
【００１８】
本発明のディスペンサーの運転方法においては、ディスペンサーの不稼動時にコンプレッサー及び撹拌モーターを完全にＯＦＦにすることで、消費電力を大幅に削減できる。
また、ディスペンサーの稼動使用直後、すなわちコンプレッサー及び撹拌モーターを完全にＯＦＦにする前に、撹拌機の回転速度を低速度とした状態で冷媒蒸発管に沿って冷却水を一旦製氷することで均一な氷とし、ディスペンサーの稼動使用直前、コンプレッサー及び撹拌モーターをＯＮにして撹拌機の回転速度を低速度とした状態で再び冷媒蒸発管に沿って冷却水を製氷することで、効率良く均一な氷が得られる。
したがって、本発明のディスペンサーの運転方法によれば、消費電力を大幅に削減できると共に、飲料水を確実且つ十分に冷却できる。
【００１９】
本発明のディスペンサーの運転方法においては、ディスペンサーの稼動使用直後に、冷却水を最大氷量幅に製氷すると、一定時間経過した後のディスペンサーの稼動使用直前の製氷において、立ち上がり負担が軽くなる。
また、ディスペンサーの稼動使用直前に、冷却水を最大氷量幅に製氷すると、稼動使用時の冷却水の冷却効率が高まる。
ここで、「最大氷量」とは、水槽内撹拌による冷却水の対流を確保し、螺旋管及び水槽と接触しない最大の氷量を意味する。
なお、「最大氷量幅」とは、その幅を意味する。
また、最大氷量幅が製氷センサーにより制御されている場合、最大氷量幅は、製氷センサーに基づいて決定される。
【００２０】
本発明のディスペンサーの運転方法においては、ディスペンサーの稼動使用時における飲料水の注出時には、撹拌機の回転速度を高速度とし、ディスペンサーの稼動使用時における飲料水の待機時には、撹拌機の回転速度を低速度とすることにより、消費電力をより削減できる。
なお、本発明において、高速度の回転速度とは、従来技術と同じ通常の回転速度を意味し、低速度の回転速度とは、通常よりも遅い回転速度を意味する。
【００２１】
本発明のディスペンサーの運転方法において、製氷センサーによりディスペンサーの稼動使用時におけるコンプレッサーのＯＮ／ＯＦＦが制御されていると、最大氷量幅よりも小さい場合は、製氷センサーがコンプレッサーをＯＮにし、氷の幅が最大氷量幅である場合は、製氷センサーがコンプレッサーをＯＦＦにすることになる。
このため、消費電力を更に削減できると共に、冷却水を確実に冷却できる。
【００２２】
本発明のディスペンサーの運転方法において、水槽が断熱材に覆われていると、冷却した温度を維持できるので、水槽内の氷が維持できると共に、消費電力を削減できる。
また、蓋が取付けられていると、冷却した温度をより維持することができ、蓋が断熱材からなるものであると、冷却した温度をより一層維持することができる。
【００２３】
本発明のディスペンサーの運転方法においては、コンプレッサー及び撹拌モーターのＯＮ／ＯＦＦがシーケンサーにより制御されている場合、タイマーにより、深夜等の非営業時間にはコンプレッサー及び撹拌モーターをＯＦＦにし、営業時間に合わせて、営業時間前にコンプレッサー及び撹拌モーターをＯＮにすることができる。
また、撹拌機の回転速度の切替えが、スピードコントローラーによる通電量の調整により行われる場合、切替えを簡便に行うことができる。
さらに、接近センサーにより、状況に応じて撹拌機の回転速度を切替えるようになっている場合、消費電力をより一層効率良く低減できる。
【図面の簡単な説明】
【００２４】
【図１】図１は、本実施形態に係るディスペンサーの運転方法の対象となるディスペンサーの一例を示す概略図である。
【図２（ａ）】図２（ａ）は、本実施形態に係るディスペンサーの運転方法の対象となるディスペンサーの正面図である。
【図２（ｂ）】図２（ｂ）は、本実施形態に係るディスペンサーの運転方法の対象となるディスペンサーの上面図である。
【図３】図３は、本実施形態に係るディスペンサーの運転方法のサイクルを示すフローチャートである。
【図４】図４は、本実施形態に係るディスペンサーの運転方法における制御系統を示すフローチャートである。
【図５】図５は、本実施形態に係るディスペンサーの運転方法の対象となるディスペンサーの機体の他の例を示す断面図である。
【発明を実施するための形態】
【００２５】
以下、必要に応じて図面を参照しながら本発明の好適な実施形態について説明する。なお、以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００２６】
まず、本実施形態に係るディスペンサーの運転方法の対象となるディスペンサーについて説明する。
図１は、本実施形態に係るディスペンサーの運転方法の対象となるディスペンサーの一例を示す概略図である。
図１に示すように、ディスペンサー１００は、機体１０と、該機体１０に収容され冷却水Ｗが貯留された水槽１と、該水槽１に配設され、飲料水を流通させるための螺旋管２と、冷却水Ｗを冷却するための冷媒蒸発管３と、該冷媒蒸発管３に設けられた製氷センサー７と、冷媒蒸発管３に圧縮冷媒を送るコンプレッサー４と、冷却水Ｗを撹拌する撹拌機５と、該撹拌機５を駆動させる撹拌モーター６と、螺旋管２に連通され機体１０の前面に取付けられた注出ノズル（図示しない）と、機体１０の前面に設けられた接近センサー（図示しない）と、を備える。
【００２７】
ディスペンサー１００において、機体１０は、箱状となっており、水槽１が収容されている。また、水槽１には、冷却水Ｗが貯留されている。
【００２８】
螺旋管２は、水槽１の略中央に配置され、内部を飲料水が流通可能となっている。
なお、飲料水には、水のみならず、ウーロン茶、ビール、酎ハイ、ウイスキー、ソーダ等が含まれる。
飲料水は、螺旋管２を流通することにより、冷却水Ｗによって十分に冷却され、図示しない注出ノズルから注出されることになる。
【００２９】
撹拌機５は、螺旋管２の内側中央に配設されている。
そして、撹拌機５の駆動源である撹拌モーター６を駆動させる（ＯＮにする）ことにより、水槽１に収容された冷却水Ｗが撹拌機５によって撹拌されることになる。
ここで、撹拌モーター６は、撹拌機５の回転速度が、２段階となるように切替え可能となっている。
なお、撹拌機５の回転速度を低速度とすることにより、消費電力を低減させることができる。
【００３０】
撹拌機５の低速度における回転数は、高速度における回転数の１／３〜１／２であることが好ましい。
例えば、高速度における回転数が、１０００〜１４００回／ｍｉｎである場合、低速度における回転数が、４００〜７００回／ｍｉｎであることが好ましい。
低速度における回転数が、遅すぎると、均一な形状の氷Ｒが得られず、冷却水Ｗを十分に冷却できない場合があり、速すぎると、消費電力を十分に低減できないことになる。
【００３１】
ディスペンサー１００において、水槽１には、冷却水Ｗを冷却するための冷媒蒸発管３が配設され、且つ冷却水Ｗに浸漬されている。
冷媒蒸発管３においては、コンプレッサー４を駆動させる（ＯＮにする）ことにより、圧縮冷媒が冷媒蒸発管３内を流通するようになっている。
これにより、冷媒蒸発管３に沿って冷却水Ｗが冷却され、更に冷却を続けることにより、冷媒蒸発管３に沿って冷却水Ｗが製氷され、所定の厚さの氷Ｒとなる。
なお、コンプレッサー４を停止させ、且つ外気の温度が高い場合、氷Ｒは、徐々に溶融することになる。
【００３２】
ディスペンサー１００においては、冷媒蒸発管３に氷Ｒの厚さを検出する製氷センサー７が設けられている。この製氷センサー７の検出信号によりディスペンサー１００の稼動使用時におけるコンプレッサー４のＯＮ／ＯＦＦが制御されている。
すなわち、氷Ｒの幅が最大氷量幅Ｈよりも小さい場合は、製氷センサーがコンプレッサーをＯＮにし、氷Ｒの幅が最大氷量幅Ｈとなった場合は、製氷センサーがコンプレッサーをＯＦＦにすることになる。これにより、消費電力を更に削減できると共に、冷却水を確実に冷却できる。
【００３３】
ここで、ディスペンサー１００においては、製氷センサー７が一対の起動電極７ａと、停止電極７ｂとからなり、これらの起動電極７ａ又は停止電極７ｂと、水槽１に設けられた図示しない電極との間を流れる電流を検出して検出信号を発信するようになっている。
例えば、冷媒蒸発管３側の起動電極７ａと水槽１に設けられた電極との間に電流が流れる場合は、起動電極７ａと水槽１に設けられた電極との間は水になっており、氷Ｒが形成されていないことを意味するので、コンプレッサー４にはＯＮの検出信号が発せられる。なお、この場合、外側の停止電極７ｂと水槽１に設けられた電極との間にも当然電流が流れることになる。
また、外側の停止電極７ｂと水槽１に設けられた電極との間に電流が流れない場合は、外側の停止電極７ｂまで氷Ｒが形成されている（すなわち、最大氷量幅Ｈ）ことを意味するので、コンプレッサー４にはＯＦＦの検出信号が発せられる。
なお、この場合、冷媒蒸発管３側の起動電極７ａと水槽１に設けられた電極との間にも当然電流が流れないことになる。
【００３４】
図２（ａ）は、本実施形態に係るディスペンサーの運転方法の対象となるディスペンサーの正面図であり、図２（ｂ）は、その上面図である。
図２（ａ）に示すように、ディスペンサー１００は、機体１０の前面に、注出ノズル１１が取付けられている。
注出ノズル１１は、上述した螺旋管２に連通されており、コック１１ａを操作することにより、注出ノズル口１１ｂが開かれ、十分に冷却された飲料水が注出される。
【００３５】
また、ディスペンサー１００は、機体１０の前面の注出ノズル１１の上方に、接近センサー１２が設けられている。
なお、上述した撹拌モーター６は、接近センサー１２の検出信号によりＯＮ／ＯＦＦ制御される。
ここで、接近センサー１２は、光通信用の高出力赤色ＬＥＤである発光素子と、高出力赤外ＬＥＤである受光素子と、からなり、図２（ｂ）に示すように、発光素子から発射される赤外線が人等の障害物に当たることで反射して受光素子に入るようになっている。
すなわち、障害物がある場合は、撹拌モーター６に高速運転の信号が発せられ、障害物がない場合は、撹拌モーター６に低速運転の信号が発せられる。
【００３６】
次に、本実施係るディスペンサー１００の運転方法について説明する。
図３は、本実施形態に係るディスペンサーの運転方法のサイクルを示すフローチャートである。
図３に示すように、本実施形態に係るディスペンサー１００の運転方法は、ディスペンサー１００の稼動使用直前Ｓ１、稼動使用時Ｓ２、稼動使用直後Ｓ３及び不稼動時に分けられる。なお、この順序で繰り返し運転される。
【００３７】
ディスペンサー１００の稼動使用直前Ｓ１においては、まず、コンプレッサー４及び撹拌モーター６をＯＮにする。そして、撹拌機５の回転速度を敢えて低速度とした状態で冷媒蒸発管３に沿って冷却水Ｗを最大氷量幅Ｈまで製氷する。
このとき、撹拌機５の回転速度が速すぎると、消費電力を十分に低減できない。
なお、稼動使用直前Ｓ１から稼動使用時Ｓ２までの時間は、例えば、後述する稼動使用直後Ｓ３に最大氷量幅Ｈとした後の不稼動時に氷が融解する量を算出し、算出した値に基づいて、稼動使用時Ｓ２までに最大氷量幅Ｈとなるように設定される。
具体的には、１時間以下で行われる。
【００３８】
ディスペンサー１００の稼動使用時Ｓ２において、撹拌モーター６は、上述した接近センサー１２に基づいて、飲料水の注出時に撹拌機５の回転速度を高速度とし、飲料水の待機時に撹拌機５の回転速度を低速度とする。
一方、コンプレッサー４は、上述した製氷センサー７に基づいて、氷Ｒの幅が最大氷量幅Ｈの場合にＯＦＦとし、氷Ｒの幅が最大氷量幅Ｈよりも小さい場合にＯＮとする。
【００３９】
ディスペンサー１００の稼動使用直後Ｓ３においては、撹拌機５の回転速度を低速度とした状態で冷媒蒸発管３に沿って冷却水Ｗを最大氷量幅Ｈまで製氷する。
このため、均一な氷Ｒが形成される。
コンプレッサー４及び撹拌モーター６をＯＦＦにする前に、敢えて一旦最大氷量幅Ｈに製氷することで、一定時間経過した後のディスペンサー１００の稼動使用直前Ｓ１の製氷において、立ち上がりの負担が軽くなる。
また、ディスペンサー１００の稼動使用直前Ｓ１に、コンプレッサー４及び撹拌モーター６をＯＮにし撹拌機５の回転速度を低速度とした状態で、冷媒蒸発管３に沿って溶け出した冷却水を再度最大氷量幅Ｈまで製氷することで、均一な氷Ｒが形成される。
なお、この場合であっても、撹拌機５の回転速度が速すぎると、消費電力を十分に低減できない。
こうして稼動使用開始前に最大氷量幅Ｈとすることで、冷却された飲料水の注出量の安定が図られ、適切な能力を持ったディスペンサーの選定を行うことができる。
【００４０】
そして、製氷後の不稼動時においては、コンプレッサー４及び撹拌モーター６をＯＦＦにする。
なお、その後は、上述したディスペンサー１００の稼動使用直前Ｓ１において、再び、コンプレッサー４及び撹拌モーター６をＯＮにし、冷却水Ｗを最大氷量幅Ｈまで製氷することになる。
【００４１】
本実施形態に係るディスペンサー１００の運転方法においては、稼動使用時Ｓ２で且つ飲料水の注出時には、撹拌機５の回転速度を高速度とし、稼動使用時Ｓ２で且つ飲料水の待機時には、撹拌機５の回転速度を低速度とする。
これに加え、ディスペンサー１００の不稼動時にコンプレッサー４及び撹拌モーター６を完全にＯＦＦにすることで、消費電力を大幅に削減できる。
【００４２】
図４は、本実施形態に係るディスペンサーの運転方法における制御系統を示すフローチャートである。
図４に示すように、本実施形態に係るディスペンサー１００の運転方法においては、コンプレッサー４及び撹拌モーター６のＯＮ／ＯＦＦがシーケンサーＴ１によって制御される。
【００４３】
ディスペンサー１００の稼動使用直前Ｓ１においては、シーケンサーＴ１のＯＮ／ＯＦＦ信号をコンプレッサー制御基盤Ｔ２が受信し、パワーリレーＴ３を介して、コンプレッサー４が駆動／停止される。
また、シーケンサーＴ１のＯＮ／ＯＦＦ信号を撹拌モーター制御基盤Ｔ４が受信し、スピードコントローラーＴ５を介して、撹拌モーター６が駆動／停止される。
【００４４】
ディスペンサー１００の稼動使用時Ｓ２においては、製氷センサー７による製氷開始指令又は製氷停止指令の検出信号をコンプレッサー制御基盤Ｔ２が受信し、パワーリレーＴ３を介して、コンプレッサー４が駆動／停止される。
また、接近センサー１２においては、高速回転指令又は低速回転指令の検出信号をシーケンサーＴ１を介して、スピードコントローラーＴ５が受信し、スピードコントローラーＴ５の指令に基づいて、撹拌モーター６による撹拌機５の回転速度が高速度又は低速度とされる。例えば、接近センサー１２が注出ノズルを操作する人を検出することで飲料水の注出時と判断した高速回転指令を、スピードコントローラーＴ５が受信し、撹拌モーター６による撹拌機５の回転速度が高速度とされ、接近センサー１２が注出ノズルを操作する人を検出しないことで飲料水の待機時と判断した低速回転指令を、スピードコントローラーＴ５が受信し、撹拌モーター６による撹拌機５の回転速度が低速度とされる。
なお、回転速度の切替えは、スピードコントローラーＴ５による通電量の調整により行われる。
このため、切替えを簡便に行うことができる。
【００４５】
ディスペンサー１００の稼動使用直後Ｓ３においては、製氷センサー７による製氷開始指令又は製氷停止指令の検出信号をコンプレッサー制御基盤Ｔ２が受信し、検出信号に基づく氷Ｒの状態の信号をシーケンサーＴ１が受信する。
そして、シーケンサーＴ１は、その信号に基づくＯＮ／ＯＦＦ信号を、コンプレッサー制御基盤Ｔ２が受信し、パワーリレーＴ３を介して、コンプレッサー４が駆動／停止される。
また、シーケンサーＴ１のＯＮ／ＯＦＦ信号を撹拌モーター制御基盤Ｔ４が受信し、スピードコントローラーＴ５を介して、撹拌モーター６が駆動／停止される。
【００４６】
ここで、シーケンサーＴ１は、カレンダー機能を備える。
これにより、例えば、飲食店の定休日等も設定することが可能である。
また、ディスペンサー１には、シーケンサーＴ１の制御を解除する図示しないスイッチが設けられている。かかるスイッチを押すことにより、シーケンサーＴ１の制御が解除され、例えば、通常営業時間外での稼動使用を行うことが可能となる。
なお、シーケンサーＴ１の制御を解除した場合であっても、設定時間になると、自動的に本実施形態に係るディスペンサー１００の運転方法に基づくシーケンサー制御に戻るようになっている。
【００４７】
本実施形態に係るディスペンサー１００の運転方法においては、シーケンサーＴ１により制御されているので、タイマー等により、深夜等の非営業時間にはコンプレッサー４及び撹拌モーター６をＯＦＦにし、営業時間に合わせて、営業時間前にコンプレッサー４及び撹拌モーター６をＯＮにすることができる。
また、接近センサー１２の指令により、状況に応じて撹拌機の回転速度を切替えるようになっている。
したがって、ディスペンサー１００の運転方法によれば、消費電力を効率良く低減できる。
【００４８】
以上、本発明の好適な実施形態について説明したが、本発明は上記実施形態に限定されるものではない。
【００４９】
例えば、本実施形態に係るディスペンサー１００の運転方法において、撹拌モーター６は、撹拌機５の回転速度が２段階で切替え可能となっているが、３段階以上であってもよい。
また、回転速度の切替えは、スピードコントローラーＴ５による通電量の調整により行っているが、インバーター等であってもよい。
【００５０】
本実施形態に係るディスペンサー１００の運転方法においては、シーケンサーＴ１によって制御しているが、入出力インターフェースと、記録手段であるＲＡＭ及びＲＯＭと、外部コンピューター等に対する通信手段と、ハードディスク等の内部記録部と、所定の外部記録媒体を用いるためのドライバとを有するＣＰＵ等を備えるコンピューターであってもよい。
【００５１】
本実施形態に係るディスペンサーの運転方法の対象となるディスペンサー１００の機体の構造は、実施形態で示した構造に限定されない。
図５は、本実施形態に係るディスペンサーの運転方法の対象となるディスペンサーの機体の他の例を示す断面図である。
図５に示すように、機体２０は、箱状となっており、水槽２１が収容されている。また、水槽２１には、冷却水Ｗが貯留されている。
【００５２】
水槽２１は、少なくとも側面と底面とが断熱材２１ｂに覆われている。このため、冷却した温度を維持できるので、コンプレッサーの稼働時間を低減させることができる。
また、水槽２１には、蓋２１ａが取付けられている。かかる蓋２１ａも断熱材からなっている。
ここで、断熱材からなる蓋２１ａ及び断熱材２１ｂの材質は特に限定されないが、例えば、発泡ウレタン等が用いられる。
【００５３】
上述したディスペンサーの運転方法においては、水槽２１が断熱材２１ｂにより覆われており、且つ断熱材からなる蓋２１ａが取付けられているため、冷却した温度を確実に維持することが可能となる。
【産業上の利用可能性】
【００５４】
本発明のディスペンサー１００の運転方法は、例えば、飲食店における飲料水を冷却するディスペンサーとして好適に用いられる。
本発明のディスペンサー１００の運転方法によれば、消費電力を大幅に削減できると共に、飲料水を確実且つ十分に冷却できる。
【符号の説明】
【００５５】
１，２１・・・水槽
２・・・螺旋管
３・・・冷媒蒸発管
４・・・コンプレッサー
５・・・撹拌機
６・・・撹拌モーター
７・・・製氷センサー
７ａ・・・起動電極
７ｂ・・・停止電極
１０，２０・・・機体
１１・・・注出ノズル
１１ａ・・・コック
１１ｂ・・・注出ノズル口
１２・・・接近センサー
２１ａ・・・蓋
２１ｂ・・・断熱材
１００・・・ディスペンサー
Ｒ・・・氷
Ｓ１・・・稼動使用直前
Ｓ２・・・稼動使用時
Ｓ３・・・稼動使用直後
Ｔ１・・・シーケンサー
Ｔ２・・・コンプレッサー制御基盤
Ｔ３・・・パワーリレー
Ｔ４・・・撹拌モーター制御基盤
Ｔ５・・・スピードコントローラー
Ｗ・・・冷却水
【図１】
0005675267.tif 000002
【図２（ａ）】
0005675267.tif 000003
【図２（ｂ）】
0005675267.tif 000004
【図３】
0005675267.tif 000005
【図４】
0005675267.tif 000006
【図５】
0005675267.tif 000007